(57)【要約】【課題】画像処理を設定するための設定用画像をカスタマイズすること。【解決手段】撮像装置１は、被写体像を撮像する撮像手段１２と、画像処理を設定するための設定用領域が設定された設定用画像を表示手段に表示させる表示制御手段１４ａと、ユーザ操作により設定用領域が指定されると、指定された設定用領域に対応する画像処理を撮像手段により撮像された撮像画像に対して行う画像処理手段１４ｃと、ユーザ操作により設定用画像内に設定されていない任意の画像処理が指定されると、指定された画像処理を設定するための設定用領域を設定用画像内に設定する領域設定手段１４ｄと、を備える。【選択図】図１
2015106745.tif 000002
【特許請求の範囲】
【請求項１】
被写体像を撮像する撮像手段と、
画像処理を設定するための設定用領域が設定された設定用画像を表示手段に表示させる表示制御手段と、
ユーザ操作により前記設定用領域が指定されると、指定された前記設定用領域に対応する画像処理を前記撮像手段により撮像された撮像画像に対して行う画像処理手段と、
ユーザ操作により前記設定用画像内に設定されていない任意の画像処理が指定されると、指定された画像処理を設定するための設定用領域を前記設定用画像内に設定する領域設定手段と、
を備えることを特徴とする撮像装置。
【請求項２】
請求項１に記載の撮像装置において、
前記表示制御手段は、所定の画像処理を設定するための所定の設定用領域が設定された前記設定用画像を表示させ、
前記領域設定手段は、ユーザ操作により任意の画像処理が指定されると、前記所定の設定用領域に加えて、指定された画像処理を設定するための設定用領域を前記設定用画像内に追加することを特徴とする撮像装置。
【請求項３】
請求項２に記載の撮像装置において、
前記表示制御手段は、複数の画像処理の各々に対応する複数の画像処理アイコンを表示手段に表示させ、
前記領域設定手段は、前記表示手段に表示された画像処理アイコンを前記設定用画像内に移動する操作が行われると、前記画像処理アイコンに対応する画像処理を設定するための設定用領域を前記設定用画像内に追加することを特徴とする撮像装置。
【請求項４】
請求項１に記載の撮像装置において、
前記表示制御手段は、複数の画像処理の各々に対応する複数の画像処理アイコンを表示手段に表示させ、
前記領域設定手段は、第１画像処理に対応する画像処理アイコンを、第２画像処理を設定するための設定用領域内に移動する操作が行われると、前記設定用領域を、前記第１画像処理と前記第２画像処理との両方を設定するための設定用領域に変更することを特徴とする撮像装置。
【請求項５】
請求項４に記載の撮像装置において、
前記領域設定手段は、第３画像処理に対応する画像処理アイコンを、第１画像処理と第２画像処理との両方を設定するための設定用領域内に移動する操作が行われると、前記設定用領域に加えて、前記第３画像処理を設定するための設定用領域を前記設定用画像内に追加することを特徴とする撮像装置。
【請求項６】
請求項１〜５のいずれか一項に記載の撮像装置において、
前記設定用画像内において設定されている設定用領域を前記設定用画像外に移動する操作が行われると、当該設定用領域を削除する領域削除手段をさらに備えることを特徴とする撮像装置。
【請求項７】
請求項１〜６のいずれか一項に記載の撮像装置において、
ユーザ操作により前記設定用領域内の位置が指定されると、当該設定用領域に対応する画像処理に係る画像処理パラメータを、指定された位置に応じて設定するパラメータ設定手段をさらに備え、
前記画像処理手段は、前記撮像画像に対して、前記パラメータ設定手段により設定された画像処理パラメータに基づいて画像処理を行うことを特徴とする撮像装置。
【請求項８】
請求項７に記載の撮像装置において、
前記表示制御手段は、複数の画像処理の各々に対応する複数の画像処理アイコンを表示手段に表示させ、
第４画像処理に対応する画像処理アイコンを、前記第４画像処理を設定するための設定用領域内に移動する操作が行われると、前記設定用領域において前記パラメータ設定手段により変化可能な前記第４画像処理に係る画像処理パラメータの変化の仕方を変更する変更手段をさらに備えることを特徴とする撮像装置。
【請求項９】
請求項１〜８のいずれか一項に記載の撮像装置において、
前記画像処理手段は、前記設定用画像内において設定されている設定用領域のうち第１設定用領域内の位置と第２設定用領域内の位置との両方がユーザ操作により指定されると、前記第１設定用領域に対応する画像処理と前記第２設定用領域に対応する画像処理の両方を前記撮像画像に対して行うことを特徴とする撮像装置。
【請求項１０】
画像を取得する取得工程と、
画像処理を設定するための設定用領域が設定された設定用画像を表示手段に表示させる表示制御工程と、
ユーザ操作により前記設定用領域が指定されると、指定された前記設定用領域に対応する画像処理を前記取得工程で取得された画像に対して行う画像処理工程と、
ユーザ操作により前記設定用画像内に設定されていない任意の画像処理が指定されると、指定された画像処理を設定するための設定用領域を前記設定用画像内に設定する領域設定工程と、
を有することを特徴とする画像処理方法。
【請求項１１】
請求項１０に記載の画像処理方法をコンピュータに実行させることを特徴とする画像処理プログラム。
【発明の詳細な説明】
【技術分野】
【０００１】
本発明は、撮像装置、画像処理方法および画像処理プログラムに関する。
【背景技術】
【０００２】
使用する画像効果を選択するためのエフェクトメニューと、選択した画像効果の効果レベルを調整するためのスライドメニューとを表示するデジタルカメラが知られている（特許文献１参照）。
【先行技術文献】
【特許文献】
【０００３】
【特許文献１】特開２０１２−１２４６０８号公報
【発明の概要】
【発明が解決しようとする課題】
【０００４】
ユーザが複数の画像処理の中から所望の画像処理を選択する際、お気に入りの画像処理の中から画像処理を選択することができると、より使いやすいと考えられる。しかしながら、上記従来技術では、エフェクトメニューをカスタマイズすることはできなかった。
【課題を解決するための手段】
【０００５】
（１）請求項１に記載の撮像装置は、被写体像を撮像する撮像手段と、画像処理を設定するための設定用領域が設定された設定用画像を表示手段に表示させる表示制御手段と、ユーザ操作により設定用領域が指定されると、指定された設定用領域に対応する画像処理を撮像手段により撮像された撮像画像に対して行う画像処理手段と、ユーザ操作により設定用画像内に設定されていない任意の画像処理が指定されると、指定された画像処理を設定するための設定用領域を設定用画像内に設定する領域設定手段と、を備えることを特徴とする。
（２）請求項１０に記載の画像処理方法は、画像を取得する取得工程と、画像処理を設定するための設定用領域が設定された設定用画像を表示手段に表示させる表示制御工程と、ユーザ操作により設定用領域が指定されると、指定された設定用領域に対応する画像処理を取得工程で取得された画像に対して行う画像処理工程と、ユーザ操作により設定用画像内に設定されていない任意の画像処理が指定されると、指定された画像処理を設定するための設定用領域を設定用画像内に設定する領域設定工程と、を有することを特徴とする。
（３）請求項１１に記載の画像処理プログラムは、請求項１０に記載の画像処理方法をコンピュータに実行させることを特徴とする。
【発明の効果】
【０００６】
本発明によれば、画像処理を設定するための設定用画像をカスタマイズすることができる。
【図面の簡単な説明】
【０００７】
【図１】本発明の一実施の形態によるデジタルカメラの構成例を説明するブロック図である。
【図２】クリエイティブモードにおける処理の流れを説明するフローチャートである。
【図３】第１の実施形態におけるリング画像を説明する図である。
【図４】第１の実施形態における設定用領域の追加を説明する図である。
【図５】第１の実施形態における設定用領域の削除を説明する図である。
【図６】第１の実施形態におけるカスタマイズモードでの処理の流れを説明するフローチャートである。
【図７】第２の実施形態におけるリング画像を説明する図である。
【図８】第２の実施形態における設定用領域の追加を説明する図である。
【図９】第２の実施形態における設定用領域への画像処理の追加を説明する図である。
【図１０】第２の実施形態における設定用領域の追加を説明する図である。
【図１１】第２の実施形態におけるカスタマイズモードでの処理の流れを説明するフローチャートである。
【図１２】第２の実施形態における設定用領域の合成を説明する図である。
【図１３】変形例１における表示画面を説明する図である。
【図１４】画像処理パラメータの変化曲線を説明する図である。
【図１５】変形例２における設定用領域の追加を説明する図である。
【図１６】変形例６における表示画面を説明する図である。
【図１７】変形例７における設定用領域の変更を説明する図である。
【図１８】変形例１０のリング画像を説明する図である。
【図１９】プログラムの提供の様子を説明する図である。
【発明を実施するための形態】
【０００８】
−第１の実施形態−
図面を参照して本発明の第１の実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａ、画像処理設定部１４ｂ、画像処理部１４ｃ、およびカスタマイズ処理部１４ｄを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
操作部材１６は、シャッターボタン１６ａと、表示部１７上に配置されたタッチパネル１６ｂと、を含む。タッチパネル１６ｂは、指などが接触された接触位置を検出して、制御部１４に接触位置を出力する。本実施形態のタッチパネル１６ｂは、いわゆるマルチタッチに対応するタッチパネルである。つまり、タッチパネル１６ｂは、表示部１７の表示画面において指等により同時に接触される複数の接触位置を検出することができる。また、操作部材１６は、この他、録画ボタン、モード切替ボタン、十字キー、ＯＫボタン、ディスプレイボタンなどを含む。操作部材１６は、ユーザ操作に応じた操作信号を制御部１４へ出力する。
【００１４】
表示部１７は、デジタルカメラ１の背面に搭載された液晶モニタ（背面モニタ）等で構成され、撮像素子１２により撮像された撮像画像や各種設定メニューなどが表示される。
【００１５】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
撮影モードにおいてシャッターボタン１６ａが全押し操作されて静止画の撮影が指示されると、制御部１４は、撮像素子１２に静止画用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１７】
また、操作部材１６からの操作信号に応じて再生モードに設定されると、制御部１４は、記録媒体１８に記録された静止画データを読み出して再生し、表示部１７に表示する。
【００１８】
＜クリエイティブモード＞
本実施形態のデジタルカメラ１では、撮影モードとして、通常モードの他に、クリエイティブモードが設けられている。以下、このクリエイティブモードについて説明する。まず、クリエイティブモードにおいて、制御部１４が実行する処理の流れを、図２に示すフローチャートを用いて説明する。図２に示す処理は、撮影モードがクリエイティブモードに設定されている間、繰り返し行われる。撮影モードがクリエイティブモードに切り替えられると、制御部１４は、メモリに記録された図２の処理を行うプログラムを起動して、当該処理を開始する。
【００１９】
ステップＳ１において、制御部１４は、撮像素子１２に時系列で被写体像を撮像させて撮像画像を取得し、スルー画として表示部１７に表示する処理を開始する。
【００２０】
ステップＳ２において、制御部１４の表示制御部１４ａは、図３に示すように、撮像画像に対して行う画像処理を設定するための画像５０をスルー画に重ねて表示部１７に表示する処理を開始する。画像５０は、リングを表示する画像であり、以下、リング画像５０と表記する。また、表示制御部１４ａは、リング画像５０のリング上にカーソル５１を表示する。
【００２１】
ステップＳ３において、制御部１４は、タッチパネル１６ｂから出力される操作信号に基づいて、カーソル５１を移動するユーザ操作が行われたか否かを判定する。カーソル５１を移動する操作とは、たとえば、カーソル５１に対するドラッグ操作（ユーザがカーソル５１をたとえば１本の指でタッチした後、タッチしたまま指を移動する操作）である。制御部１４は、カーソル５１に対するドラッグ操作が行われた場合にはステップＳ４へ進み、カーソル５１に対するドラッグ操作が行われていない場合にはステップＳ８へ進む。
【００２２】
ステップＳ４において、表示制御部１４ａは、上記ドラッグ操作に応じて、カーソル５１をリング画像５０のリングに沿って移動させる。
【００２３】
ステップＳ５において、制御部１４の画像処理設定部１４ｂは、リング画像５０に対するカーソル５１の位置に応じて、撮像画像に対して行う画像処理を設定する。この点について、詳しくは後述する。
【００２４】
ステップＳ６において、制御部１４の画像処理部１４ｃは、撮像画像に対して、画像処理設定部１４ｂにより設定された画像処理を行う。
【００２５】
ステップＳ７において、表示制御部１４ａは、画像処理部１４ｃによる画像処理後の撮像画像をスルー画として表示部１７に表示する。このようにデジタルカメラ１では、リング画像５０上でカーソル５１を移動させることで撮像画像に施す画像処理の内容を変更することができ、変更後の画像処理が行われた撮像画像を、スルー画においてリアルタイムで確認させることができる。
【００２６】
ステップＳ８において、制御部１４は、ユーザにより撮影指示が行われたか（すなわちシャッターボタン１６ａが押下されたか）否かを判定する。制御部１４は、撮影指示が行われた場合にはステップＳ９へ進み、撮影指示が行われていない場合にはステップＳ３へ戻る。
【００２７】
ステップＳ９において、制御部１４は、撮像素子１２に記録用の撮像処理を行わせる。画像処理部１４ｃは、当該撮像処理により得られた撮像画像データに対して、上記撮影指示の時点でのカーソル５１の位置に応じた画像処理を行う。そして、制御部１４は、当該画像処理が施された撮像画像データを、静止画データとして記録媒体１８に記録し、図２に示す処理を終了する。
【００２８】
このように、クリエイティブモードでは、ユーザがリング画像５０上でカーソル５１を移動させて所望の画像処理を設定した後、シャッターボタン１６ａを押下することで、所望の画像処理を施した静止画を記録することができるようになっている。
【００２９】
なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。
【００３０】
次に、リング画像５０について説明する。リング画像５０内には、各種の画像処理を設定するための設定用領域５２が設定される。設定用領域５２については、ユーザが所望に応じてカスタマイズできるようになっている（詳しくは後述する）。デフォルトでは、一例として、図３に示すように、リング画像５０に４つの設定用領域５２ａ〜設定用領域５２ｄが設定されている。設定用領域５２ａ〜設定用領域５２ｄは、リング画像５０を４等分に分割する形状、すなわち中心角が９０度の円弧形状（１／４円形状）でそれぞれ設定されている。ここでは、リング画像５０の頂点から時計周り順に、設定用領域５２ａ、設定用領域５２ｂ、設定用領域５２ｃ、設定用領域５２ｄが設定されているとする。リング画像５０では、たとえばリング画像５０を分割する線によって、設定用領域５２ａ〜設定用領域５２ｄの範囲が表示される。
【００３１】
また、たとえば、設定用領域５２ａは「ポートレート」を設定するための領域として設定されている。設定用領域５２ｂは「モノクローム」を設定するための領域として設定されている。設定用領域５２ｃは「ハイキー」を設定するための領域として設定されている。設定用領域５２ｄは「クロスプロセス」を設定するための領域として設定されている。リング画像５０において、設定用領域５２ａ〜設定用領域５２ｄ内には、それぞれに対応する画像処理の名称がそれぞれ表示されている。
【００３２】
なお、「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス」は、クロスプロセス（ポジフィルムを使いネガ用の現像を行う銀塩写真の手法）を行ったような画像効果を得るための画像処理である。これらの画像処理は、たとえば、輪郭強調、コントラスト、明るさなどの複数のパラメータをそれぞれ調整して、それぞれ目的とする画作りまたは画像効果を実現する画像処理である。たとえば、「ポートレート」では、輪郭強調、コントラスト、明るさ、彩度、色相をそれぞれ調整して、人物の肌をきれいに見せる画作りを実現する。
【００３３】
ユーザは、カーソル５１を所望の画像処理に対応する設定用領域５２内に移動することで、撮像画像に対して行う画像処理を指定する。画像処理設定部１４ｂは、カーソル５１が位置する設定用領域５２に対応する画像処理を、撮像画像に対して行う画像処理として設定する。たとえば、カーソル５１が設定用領域５２ａ内にある場合には、画像処理設定部１４ｂは、設定用領域５２ａに対応する「ポートレート」を、撮像画像に対して行う画像処理として設定する。カーソル５１が設定用領域５２ｂ〜設定用領域５２ｄにある場合も上記と同様に画像処理の設定が行われる。
【００３４】
さらに画像処理設定部１４ｂは、設定用領域５２内におけるカーソル５１の位置に応じて、撮像画像に対して行う画像処理の画像処理パラメータを設定する。画像処理パラメータとは、たとえば、効果レベルである。たとえば、カーソル５１が設定用領域５２ａ内にある場合には、画像処理設定部１４ｂは、設定用領域５２ａ内におけるカーソル５１の位置に応じて、「ポートレート」の効果レベルを設定する。画像処理設定部１４ｂは、設定用領域５２ａ内において、時計周り方向側に隣接する設定用領域５２ｂに近いほど効果レベルを大きく設定し、カーソル５１が反時計周り方向側に隣接する設定用領域５２ｄ側に近いほど効果レベルを小さく設定する。すなわち、画像処理設定部１４ｂは、設定用領域５２ａ内において、カーソル５１が時計周りに移動されると効果レベルを大きくし、カーソル５１が反時計回りに移動されると効果レベルを小さくする。画像処理設定部１４ｂは、設定用領域５２ａ内におけるカーソル５１の移動に応じて、「ポートレート」の効果レベルを、最小値から最大値の間で所定の段階数で段階的に変化させるようになっている。カーソル５１が設定用領域５２ｂ〜設定用領域５２ｄにある場合も上記と同様に画像処理パラメータ（効果レベル）の設定が行われる。
【００３５】
このように画像処理設定部１４ｂは、リング画像５０におけるカーソル５１の位置に応じて、撮像画像に対して行う画像処理の種類とその画像処理パラメータを設定する。
【００３６】
＜カスタマイズモード＞
また、デジタルカメラ１には、リング画像５０をカスタマイズ可能なカスタマイズモードが設けられている。ユーザが操作部材１６に対して所定の操作を行うことによりカスタマイズモードへの移行が指示されると、制御部１４はカスタマイズモードに移行する。
【００３７】
カスタマイズモードに移行すると、図４（ａ）に示すように、リング画像５０の右側に、リング画像５０に設定可能な画像処理を一覧表示する一覧表示領域５４が設けられる。表示制御部１４ａは、一覧表示領域５４に、リング画像５０に設定可能な画像処理の名称が表示された画像処理アイコン５３（５３ａ〜５５ｄ）を複数並べて表示する。なお、一覧表示領域５４には、リング画像５０において既に設定用領域５２がある画像処理とは異なる画像処理の画像処理アイコン５３が表示される。図４（ａ）では、画像処理アイコン５３ａ〜５３ｄとして、「ビビッド」、「トイカメラ」、「風景」、「アヴァンギャルド」が表示されている。「ビビッド」は、コントラストが強調された色鮮やかな画作りを行うための画像処理である。「トイカメラ」は、トイカメラで撮影したような画像効果を得るための画像処理である。「風景」は、自然や街並みなどの景観に適した画作りを行うための画像処理である。「アヴァンギャルド」は、「ビビッド」よりもさらにコントラストと彩度を上げて独特の画作りを行うための画像処理である。なお、図４（ａ）では４種類の画像処理が表示されているが、リング画像５０に設定可能な画像処理の数はこれに限らない。たとえば、ユーザが一覧表示領域５４に対してフリック操作（指をタッチして弾く操作）を行うことで、一覧表示領域５４内に表示されている画像処理アイコン５３がスクロールされる（すなわち切り替えられる）ようにしてもよい。
【００３８】
カスタマイズモードでは、リング画像５０に対して、画像処理を設定するための設定用領域５２を追加したり、削除したりできるようになっている。
【００３９】
ユーザは、リング画像５０に新たな設定用領域５２を追加したい場合、一覧表示領域５４に表示された画像処理アイコン５３の中から、所望の画像処理に対応する画像処理アイコン５３をリング画像５０内へ移動するドラッグアンドドロップ操作を行う。このドラッグアンドドロップ操作とは、たとえば、タッチパネル１６ｂ上で、ドラッグ対象（ここでは画像処理アイコン５３）を指でタッチしたまま指を移動させ、ドロップ箇所（ここではリング画像５０内）で指を離す操作である。
【００４０】
たとえば、画像処理アイコン５３ａ（「ビビッド」）を、リング画像５０内の設定用領域５２ａ（「ポートレート」）内へ移動するドラッグアンドドロップ操作が行われたとする。制御部１４のカスタマイズ処理部１４ｄは、タッチパネル１６ｂを介して上記操作を検出すると、図４（ｂ）に示すように、画像処理アイコン５３ａに対応する画像処理「ビビッド」を設定するための設定用領域５２ｅをリング画像５０に追加する。設定用領域５２ｅは、画像処理アイコン５３ａがドロップされた設定用領域５２ａの時計周り方向に隣接する箇所（図４（ｂ）では設定用領域５２ａと設定用領域５２ｂとの間）に追加される。このとき、設定用領域５２ａ〜設定用領域５２ｅは、リング画像５０を５等分に分割する形状、すなわち中心角が７２度の円弧形状で設定される。また、ドラッグアンドドロップ操作が行われた画像処理アイコン５３ａは非表示となる。
【００４１】
このようにユーザは、画像処理アイコン５３をリング画像５０内にドラッグアンドドロップする操作を行うことで、画像処理アイコン５３に対応する画像処理を、リング画像５０内に設定する画像処理として指定する。カスタマイズ処理部１４ｄは、このようにユーザ操作によりリング画像５０内に追加する画像処理が指定されると、既にリング画像５０に設定されていた設定用領域５２に加えて、上記ユーザ操作によって指定された画像処理を設定するための設定用領域５２をリング画像５０に新たに追加する。
【００４２】
また、ユーザは、リング画像５０から設定用領域５２を削除したい場合、削除したい設定用領域５２をリング画像５０の外へ移動するドラッグアンドドロップ操作を行う。たとえば、図５（ａ）に示すように、リング画像５０に４つの設定用領域５２ａ〜５２ｄが設定されている状態で、設定用領域５２ｄ（「クロスプロセス」）をリング画像５０の外へ移動するドラッグアンドドロップ操作が行われたとする。カスタマイズ処理部１４ｄは、タッチパネル１６ｂを介して上記操作を検出すると、図５（ｂ）に示すように、設定用領域５２ｄ（「クロスプロセス」）」をリング画像５０から削除する。このとき、残りの設定用領域５２ａ〜設定用領域５２ｃは、リング画像５０を３等分に分割する形状、すなわち中心角が１２０度の円弧形状に変更される。
【００４３】
このようにユーザは、設定用領域５２をリング画像５０外にドラッグアンドドロップする操作を行うことで、リング画像５０から削除する設定用領域５２を指定する。カスタマイズ処理部１４ｄは、このようにユーザ操作によりリング画像５０から削除する設定用領域５２が指定されると、上記ユーザ操作によって指定された設定用領域５２をリング画像５０から削除する。
【００４４】
なお、各設定用領域５２では、設定用領域５２のサイズの変化（中心角の変化）に応じて、設定用領域５２で設定可能な画像処理パラメータ（効果レベル）の段階数が増減される。設定用領域５２のサイズが大きくなるほど、設定可能な画像処理パラメータ（効果レベル）の段階数が増え、設定用領域５２のサイズが小さくなるほど、設定可能な画像処理パラメータ（効果レベル）の段階数が減る。たとえば、図４（ａ）から図４（ｂ）の状態に変化するとき、設定用領域５２が１つ追加される分、各設定用領域５２のサイズは小さくなるため、各設定用領域５２で設定可能な画像処理パラメータの段階数は減らされる。一方、図５（ａ）から図５（ｂ）の状態に変化するとき、設定用領域５２が１つ削除される分、各設定用領域５２のサイズは大きくなるため、各設定用領域５２で設定可能な画像処理パラメータの段階数は増やされる。
【００４５】
ユーザが操作部材１６を介して所定の操作を行うことによりカスタマイズモードの終了が指示されると、制御部１４は、カスタマイズモードを終了し、表示画面内から一覧表示領域５４を削除する。これ以降、カスタマイズモードでカスタマイズされたリング画像５０を用いて、上述したように撮像画像に対して行う画像処理を設定できるようになる。
【００４６】
以上説明したカスタマイズモードにおいて、制御部１４が実行する処理の流れを、図６に示すフローチャートを用いて説明する。カスタマイズ処理部１４ｄは、ユーザ操作によりカスタマイズモードへの移行が指示されると、メモリに記録された図６に示す処理を行うプログラムを起動して、当該処理を開始する。
【００４７】
ステップＳ１１において、表示制御部１４ａは、リング画像５０の右側に設けられた一覧表示領域５４に、リング画像５０に設定可能な画像処理の名称が表示された複数の画像処理アイコン５３を表示する。
【００４８】
ステップＳ１２において、カスタマイズ処理部１４ｄは、一覧表示領域５４内の画像処理アイコン５３をリング画像５０内にドラッグアンドドロップする操作が行われたか否かを判定する。カスタマイズ処理部１４ｄは、上記操作が行われた場合にはステップＳ１３に進み、上記操作が行われていない場合にはステップＳ１４に進む。
【００４９】
ステップＳ１３において、カスタマイズ処理部１４ｄは、上述したように、上記操作が行われた画像処理アイコン５３に対応する画像処理を設定するための設定用領域５２をリング画像５０に追加する。
【００５０】
ステップＳ１４において、カスタマイズ処理部１４ｄは、リング画像５０内の設定用領域５２をリング画像５０の外にドラッグアンドドロップする操作が行われたか否かを判定する。カスタマイズ処理部１４ｄは、上記操作が行われた場合にはステップＳ１５に進み、上記操作が行われていない場合にはステップＳ１６に進む。
【００５１】
ステップＳ１５において、カスタマイズ処理部１４ｄは、上述したように、上記操作が行われた設定用領域５２をリング画像５０から削除する。
【００５２】
ステップＳ１６において、カスタマイズ処理部１４ｄは、カスタマイズモードの終了が指示されたか否かを判定する。カスタマイズ処理部１４ｄは、カスタマイズモードの終了が指示されていない場合にはステップＳ１２に戻り、カスタマイズモードの終了が指示された場合には図６の処理を終了して、カスタマイズモードを終了する。
【００５３】
以上説明した実施の形態によれば、次の作用効果が得られる。
（１）デジタルカメラ１において、表示制御部１４ａは、画像処理を設定するための設定用領域５２が設定された設定用画像（リング画像５０）を表示部１７に表示させる。画像処理部１４ｃは、ユーザ操作（カーソル５１を移動する操作）により任意の設定用領域５２が指定されると、指定された設定用領域５２に対応する画像処理を撮像画像に対して行う。カスタマイズ処理部１４ｄは、ユーザ操作（画像処理アイコン５３を移動する操作）によりリング画像５０内に設定されていない任意の画像処理が指定されると、指定された画像処理を設定するための設定用領域５２をリング画像５０に設定する。このように、デジタルカメラ１では、画像処理を設定するためのリング画像５０をユーザ操作に応じてカスタマイズすることができるので、個々のユーザごとにリング画像５０を使いやすくすることができる。
【００５４】
（２）デジタルカメラ１において、表示制御部１４ａは、複数の画像処理の各々に対応する複数の画像処理アイコン５３を表示部１７に表示させる。カスタマイズ処理部１４ｄは、画像処理アイコン５３をリング画像５０内に移動するドラッグアンドドロップ操作が行われると、当該画像処理アイコン５３に対応する画像処理を設定するための設定用領域５２をリング画像５０に追加する。また、カスタマイズ処理部１４ｄは、設定用領域５２をリング画像５０外へ移動するドラッグアンドドロップ操作が行われると、当該設定用領域５２を削除する。このようにデジタルカメラ１では、ドラッグアンドドロップ操作を使って簡単にリング画像５０をカスタマイズすることができる。
【００５５】
−第２の実施形態−
次に、図面を参照して本発明の第２の実施形態について説明する。なお、第２の実施形態において、デジタルカメラ１の構成（図１）については同様であるため、同一の符号を付して説明を省略する。また、図２で説明したクリエイティブモードにおける処理の流れも同様であるため、説明を省略する。第２の実施形態では、リング画像５０のカーソル５１の位置に応じて画像処理を設定する処理について、第１の実施形態と異なる点があるため、この点について詳しく説明する。
【００５６】
図７を用いて、第２の実施形態におけるリング画像５０について説明する。第２の実施形態では、第１の実施形態と異なり、１つの設定用領域５２において、１つの画像処理または２つの画像処理が設定できるようになっている。１つの設定用領域５２に１つの画像処理が設定されている場合は、第１の実施形態と同様に、その設定用領域５２において、１つの画像処理が設定されると共に、その画像処理の画像処理パラメータ（効果レベル）が設定される。また、１つの設定用領域５２に２つの画像処理が設定されている場合は、その設定用領域５２において、２つの画像処理が設定されると共に、その２つの画像処理の画像処理パラメータ（２つの画像処理の比率）が設定される。
【００５７】
第２の実施形態においても、リング画像５０の設定用領域５２を、ユーザが所望に応じてカスタマイズできるようになっている（詳しくは後述する）。デフォルトでは、一例として、図７に示すように、リング画像５０に４つの設定用領域５２ｆ〜設定用領域５２ｉが設定されている。設定用領域５２ｆ〜設定用領域５２ｉは、リング画像５０を４等分に分割する形状、すなわち中心角が９０度の円弧形状（１／４円形状）でそれぞれ設定されている。ここでは、リング画像５０の頂点から時計周り順に、設定用領域５２ｆ、設定用領域５２ｇ、設定用領域５２ｈ、設定用領域５２ｉが設定されているとする。リング画像５０では、たとえばリング画像５０を分割する線によって、設定用領域５２ｆ〜設定用領域５２ｉの範囲が表示される。
【００５８】
また、たとえば、設定用領域５２ｆは「ポートレート」および「モノクローム」を設定するための領域として設定されている。設定用領域５２ｇは「モノクローム」および「ハイキー」を設定するための領域として設定されている。設定用領域５２ｈは「ハイキー」および「クロスプロセス」を設定するための領域として設定されている。設定用領域５２ｉは「クロスプロセス」および「ポートレート」を設定するための領域として設定されている。リング画像５０において、設定用領域５２ｆ〜設定用領域５２ｉ内には、それぞれに対応する画像処理の名称が表示されている。
【００５９】
ユーザは、カーソル５１を所望の設定用領域５２内に移動することで、撮像画像に対して行う画像処理を指定する。画像処理設定部１４ｂは、カーソル５１が位置する設定用領域５２に対応する画像処理を、撮像画像に対して行う画像処理として設定する。たとえば、カーソル５１が設定用領域５２ｆ内にある場合には、画像処理設定部１４ｂは、設定用領域５２ｆに対応する「ポートレート」および「モノクローム」の２つの画像処理を、撮像画像に対して行う画像処理として設定する。カーソル５１が設定用領域５２ｇ〜設定用領域５２ｉにある場合も上記と同様に画像処理の設定が行われる。
【００６０】
さらに画像処理設定部１４ｂは、設定用領域５２内におけるカーソル５１の位置に応じて、撮像画像に対して行う画像処理の画像処理パラメータを設定する。第２の実施形態では、画像処理パラメータとして、２つの画像処理の比率が設定される。たとえば、カーソル５１が設定用領域５２ｆ内にある場合には、画像処理設定部１４ｂは、設定用領域５２ｆ内におけるカーソル５１の位置に応じて、「ポートレート」と「モノクローム」の比率を設定する。画像処理設定部１４ｂは、設定用領域５２ｆ内において、カーソル５１が時計周り方向に隣接する設定用領域５２ｇ側に近いほど「ポートレート」の比率を低くして「モノクローム」の比率を高くする。一方、画像処理設定部１４ｂは、設定用領域５２ｆ内において、カーソル５１が反時計周り方向に隣接する設定用領域５２ｉ側に近いほど「ポートレート」の比率を高くして「モノクローム」の比率を低くする。すなわち、画像処理設定部１４ｂは、設定用領域５２ｆ内において、カーソル５１が時計周りに移動されると「ポートレート」の比率を低くして「モノクローム」の比率を高くする。一方、画像処理設定部１４ｂは、設定用領域５２ｆ内において、カーソル５１が反時計周りに移動されると「ポートレート」の比率を高くして「モノクローム」の比率を低くする。また、このような処理が行われることをユーザに直感的にわかりやすくするため、設定用領域５２ｆ内には、反時計周り方向側に「ポートレート」の文字が表示され、時計周り方向側に「モノクローム」の文字が表示される。
【００６１】
画像処理設定部１４ｂは、設定用領域５２ｆ内におけるカーソル５１の移動に応じて、「ポートレート」および「モノクローム」の比率を、所定の段階数で段階的に変化させる。たとえば、カーソル５１が時計周りに移動されると、「ポートレート１００％」から、「ポートレート７５％、モノクローム２５％（「ポートレート」を７５％、「モノクローム」を２５％の比率で行う設定）」、「ポートレート５０％、モノクローム５０％」、「ポートレート２５％、モノクローム７５％」を経て、「モノクローム１００％」に設定が変化される。
【００６２】
なお、「ポートレート７５％、モノクローム２５％」、「ポートレート５０％、モノクローム５０％」、および「ポートレート２５％、モノクローム７５％」は、「ポートレート」および「モノクローム」の両方を行う（すなわち「ポートレート」および「モノクローム」を重ねがけする）設定である。また、「ポートレート」を７５％の比率で行うとは、たとえば、撮像画像に「ポートレート」のみを施したとき（すなわち「ポートレート」を１００％施したとき）における撮像画像の変化の度合いを１００％としたときに、その度合いの７５％程度撮像画像が変化するように「ポートレート」を施すことである。
【００６３】
このように画像処理設定部１４ｂは、設定用領域５２ｆにおけるカーソル５１の位置に応じて、２つの画像処理「ポートレート」および「モノクローム」の比率を設定する。画像処理部１４ｃは、画像処理設定部１４ｂにより設定された比率でこれら２つの画像処理を撮像画像に対して重ね掛けする。このような処理により、カーソル５１が設定用領域５２ｆにおいて時計周りに移動するのに伴って、表示部１７に表示される撮像画像が、「ポートレート」のみを施した状態から「モノクローム」のみを施した状態へと徐々に遷移するようになっている。
【００６４】
なお、カーソル５１が設定用領域５２ｈ〜設定用領域５２ｉにある場合も上記と同様にして、それぞれに対応する２つの画像処理の比率が設定される。したがってデフォルトのリング画像５０では、カーソル５１が時計周りに設定用領域５２ｆ〜５２ｉを移動する（すなわち時計周りに１回転する）と、撮像画像に施される画像処理が「ポートレート」、「モノクローム」、「ハイキー」、「クロスプロセス」の順で徐々に変化された後、「ポートレート」に戻るようになっている。
【００６５】
＜カスタマイズモード＞
第２の実施形態のデジタルカメラ１においても、リング画像５０をカスタマイズ可能なカスタマイズモードが設けられている。ユーザが操作部材１６に対して所定の操作を行うことによりカスタマイズモードへの移行が指示されると、制御部１４はカスタマイズモードに移行する。
【００６６】
カスタマイズモードに移行すると、図８（ａ）に示すように、リング画像５０の右側に、一覧表示領域５４が設けられる。表示制御部１４ａは、一覧表示領域５４に、リング画像５０に設定可能な画像処理の名称が表示された複数の画像処理アイコン５３（５３ａ〜５５ｄ）を縦一列に並べて表示する。図８（ａ）では、画像処理アイコン５３ａ〜５３ｄとして、「ビビッド」、「トイカメラ」、「風景」、「アヴァンギャルド」が表示されている。
【００６７】
第２の実施形態においても、カスタマイズモードでは、リング画像５０において、画像処理を設定するための設定用領域５２を追加したり、削除したりできるようになっている。
【００６８】
ユーザは、リング画像５０に新たな設定用領域５２を追加したい場合には、一覧表示領域５４に表示された画像処理アイコン５３の中から、所望の画像処理に対応する画像処理アイコン５３を、リング画像５０内へ移動するドラッグアンドドロップ操作を行う。たとえば、画像処理アイコン５３ａ（「ビビッド」）を、リング画像５０内の設定用領域５２ｆ（「ポートレート」および「モノクローム」）内へ移動するドラッグアンドドロップ操作が行われたとする。カスタマイズ処理部１４ｄは、タッチパネル１６ｂを介して上記操作を検出すると、図８（ｂ）に示すように、画像処理アイコン５３ａに対応する画像処理「ビビッド」を設定するための設定用領域５２ｊをリング画像５０に追加する。このとき、設定用領域５２ｆ〜設定用領域５２ｊは、リング画像５０を５等分に分割する形状、すなわち中心角が７２度の円弧形状に設定される。また、設定用領域５２ｊは、画像処理アイコン５３ａがドロップされた設定用領域５２ｆの時計周り方向に隣接する箇所（図８（ｂ）では設定用領域５２ｆと設定用領域５２ｇとの間）に追加される。
【００６９】
また、このとき、設定用領域５２ｆ〜設定用領域５２ｉについてはそれぞれ２つの画像処理が設定されているが、追加される設定用領域５２ｊについては１つの画像処理（「ビビッド」）のみが設定された状態となる。このとき、設定用領域５２ｊ内には、画像処理の名称「ビビッド」が表示される。設定用領域５２ｊ内においてカーソル５１が反時計周りに移動されると「ビビッド」の効果レベルが低くなり、時計周りに移動されると「ビビッド」の効果レベルが高くなるように設定される。
【００７０】
ここで、ユーザが設定用領域５２ｊにもう１つ画像処理を設定したい場合には、設定したい画像処理に対応する画像処理アイコン５３を、設定用領域５２ｊ内へ移動するドラッグアンドドロップ操作を行う。たとえば、図９（ａ）に示すように、画像処理アイコン５３ｂ（「トイカメラ」）を、設定用領域５２ｊ（「ビビッド」）内へ移動するドラッグアンドドロップ操作が行われたとする。カスタマイズ処理部１４ｄは、タッチパネル１６ｂを介して上記操作を検出すると、図９（ｂ）に示すように、画像処理アイコン５３ｂに対応する画像処理「トイカメラ」を、設定用領域５２ｊに追加で設定する。すなわち、カスタマイズ処理部１４ｄは、設定用領域５２ｊを、「ビビッド」と「トイカメラ」の両方を設定するための設定用領域に変更する。このとき、設定用領域５２ｊ内には、たとえば、反時計周り方向側に「ビビッド」の文字が表示され、時計周り方向側に「トイカメラ」の文字が表示される。したがって、設定用領域５２ｊ内においてカーソル５１が反時計周りに移動されると「ビビッド」の比率が高く「トイカメラ」の比率が低くなり、時計周りに移動されると「トイカメラ」の比率が高く「ビビッド」の比率が低くなるように設定される。
【００７１】
また、図８（ｂ）に示したように、２つの画像処理が設定されている設定用領域５２ｆ〜５２ｉと１つの画像処理のみが設定されている設定用領域５２ｊとの両方がリング画像５０に設定されている状態がある。この状態で、ユーザがさらに新たな設定用領域５２をリング画像５０に追加したい場合には、所望の画像処理に対応する画像処理アイコン５３を、２つの画像処理が設定されている設定用領域（ここでは設定用領域５２ｆ〜設定用領域５２ｉのいずれか）へ移動するドラッグアンドドロップ操作を行うようにする。たとえば、図１０（ａ）に示すように、リング画像５０に５つの設定用領域５２ｆ〜５２ｊが設定されているとする。この状態で、画像処理アイコン５３ｂ（「トイカメラ」）を、設定用領域５２ｈ（「ハイキー」および「クロスプロセス」）内へ移動するドラッグアンドドロップ操作が行われたとする。カスタマイズ処理部１４ｄは、タッチパネル１６ｂを介して上記操作を検出すると、図１０（ｂ）に示すように、画像処理アイコン５３ｂに対応する画像処理「トイカメラ」を設定するための設定用領域５２ｋをリング画像５０に追加する。このとき、設定用領域５２ｆ〜設定用領域５２ｋは、リング画像５０を６等分に分割する形状、すなわち中心角が６０度の円弧形状に設定される。また、設定用領域５２ｋは、画像処理アイコン５３ｂがドロップされた設定用領域５２ｈの時計周り方向に隣接する箇所（図１０（ｂ）では設定用領域５２ｈと設定用領域５２ｉとの間）に追加される。
【００７２】
以上のように、カスタマイズ処理部１４ｄは、画像処理アイコン５３を、２つの画像処理が設定されている設定用領域５２へ移動するドラッグアンドドロップ操作が行われた場合には、当該画像処理アイコン５３に対応する設定用領域５２をリング画像５０に追加する。一方、カスタマイズ処理部１４ｄは、画像処理アイコン５３を、１つの画像処理が設定されている設定用領域５２へ移動するドラッグアンドドロップ操作が行われた場合には、当該設定用領域５２を、既に設定されている画像処理と、当該画像処理アイコン５３に対応する画像処理の両方を設定するための設定用領域５２に変更する。
【００７３】
また、ユーザは、リング画像５０から設定用領域５２を削除したい場合には、第１の実施形態と同様に、削除したい設定用領域５２をリング画像５０の外へ移動するドラッグアンドドロップ操作を行う。カスタマイズ処理部１４ｄは、タッチパネル１６ｂを介して上記操作を検出すると、上記操作が行われた設定用領域５２をリング画像５０から削除する。
【００７４】
なお、第２の実施形態においても、第１の実施形態と同様に、各設定用領域５２では、設定用領域５２のサイズの変化（中心角の変化）に応じて、設定用領域５２で設定可能な画像処理パラメータの段階数が増減される。
【００７５】
以上説明したカスタマイズモードにおいて、制御部１４が実行する処理の流れを、図１１に示すフローチャートを用いて説明する。カスタマイズ処理部１４ｄは、ユーザ操作によりカスタマイズモードへの移行が指示されると、メモリに記録された図１１に示す処理を行うプログラムを起動して、当該処理を開始する。
【００７６】
ステップＳ２１において、表示制御部１４ａは、リング画像５０の右側に設けられた一覧表示領域５４に、リング画像５０に設定可能な画像処理の名称が表示された複数の画像処理アイコン５３を表示する。
【００７７】
ステップＳ２２において、カスタマイズ処理部１４ｄは、一覧表示領域５４内の画像処理アイコン５３をリング画像５０内にドラッグアンドドロップする操作が行われたか否かを判定する。カスタマイズ処理部１４ｄは、上記操作が行われた場合にはステップＳ２３に進み、上記操作が行われていない場合にはステップＳ２６に進む。
【００７８】
ステップＳ２３において、カスタマイズ処理部１４ｄは、画像処理アイコン５３の移動先の設定用領域５２に設定されている画像処理の数を判定する。画像処理アイコン５３の移動先の設定用領域５２に１つの画像処理が設定されている場合には、カスタマイズ処理部１４ｄはステップＳ２４へ進む。一方、画像処理アイコン５３の移動先の設定用領域５２に２つの画像処理が設定されている場合には、カスタマイズ処理部１４ｄはステップＳ２５へ進む。
【００７９】
ステップＳ２４において、カスタマイズ処理部１４ｄは、上述したように、画像処理アイコン５３の移動先の設定用領域５２に、当該画像処理アイコン５３に対応する画像処理を追加で設定する。すなわち、カスタマイズ処理部１４ｄは、上記移動先の設定用領域５２を、既に設定されている画像処理と、当該画像処理アイコン５３に対応する画像処理との両方を設定するための設定用領域５２に変更する。
【００８０】
ステップＳ２５において、カスタマイズ処理部１４ｄは、上述したように、移動された画像処理アイコン５３に対応する画像処理を設定するための設定用領域５２をリング画像５０に追加する。
【００８１】
ステップＳ２６において、カスタマイズ処理部１４ｄは、リング画像５０内の設定用領域５２をリング画像５０の外にドラッグアンドドロップする操作が行われたか否かを判定する。カスタマイズ処理部１４ｄは、上記操作が行われた場合にはステップＳ２７に進み、上記操作が行われていない場合にはステップＳ２８に進む。
【００８２】
ステップＳ２７において、カスタマイズ処理部１４ｄは、上述したように、上記操作が行われた設定用領域５２をリング画像５０から削除する。
【００８３】
ステップＳ２８において、カスタマイズ処理部１４ｄは、カスタマイズモードの終了が指示されたか否かを判定する。カスタマイズ処理部１４ｄは、カスタマイズモードの終了が指示されていない場合にはステップＳ２２に戻り、カスタマイズモードの終了が指示された場合には図１１の処理を終了して、カスタマイズモードを終了する。
【００８４】
なお、上述したカスタマイズモードにおいて、１つの画像処理が設定された設定用領域５２が２つある場合に、これら２つの設定用領域５２を合成して１つにするようなユーザ操作を行えるようにしてもよい。この場合、カスタマイズ処理部１４ｄは、たとえば、異なる２つの設定用領域５２内の任意の位置を同時に長押しする操作を、これら２つの設定用領域５２を合成する操作として受け付ける。ここで、長押し操作とは、指などをタッチパネル１６ｂ上の任意の位置に所定時間以上継続して接触させる操作であるとする。
【００８５】
たとえば、図１２（ａ）に示すように、リング画像５０内に、１つの画像処理（「ビビッド」）が設定されている設定用領域５２ｊと、１つの画像処理（「トイカメラ」）が設定されている設定用領域５２ｋとが設定されているとする。リング画像５０には、この他に４つの設定用領域５２ｆ〜５２ｉが設定されているとする。この状態で、ユーザが設定用領域５２ｊ内の任意の位置と設定用領域５２ｋ内の任意の位置とを、異なる２つの指で同時に長押し操作したとする。カスタマイズ処理部１４ｄは、タッチパネル１６ｂを介して上記操作を検出すると、図１２（ｂ）に示すように、設定用領域５２ｊと設定用領域５２ｋを合成して、設定用領域５２ｊに対応する画像処理「ビビッド」と設定用領域５２ｋに対応する画像処理「トイカメラ」の２つを設定するための設定用領域５２ｌとする。すなわち、カスタマイズ処理部１４ｄは、設定用領域５２ｊおよび設定用領域５２ｋを削除し、代わりに設定用領域５２ｊが配置されていた位置に、新たな設定用領域５２ｌを追加する。
【００８６】
また、上述した処理では、画像処理アイコン５３を１つの画像処理が設定されている設定用領域５２へ移動するドラッグアンドドロップ操作が行われた場合には、当該画像処理アイコン５３に対応する画像処理を、設定用領域５２へ追加で設定するようにした。しかしながら、移動された画像処理アイコン５３に対応する画像処理と、設定用領域５２に既に設定されている画像処理とが、撮像画像に対して互いに重ね掛けできないような画像処理（たとえば「モノクローム」と「ビビッド」など）である場合もある。そこで、このような場合には、カスタマイズ処理部１４ｄは、移動された画像処理アイコン５３に対応する画像処理を移動先の設定用領域５２に追加するのではなく、当該画像処理を設定するための新たな設定用領域５２をリング画像５０に追加するようにしてもよい。また、このような場合には、カスタマイズ処理部１４ｄは、画像処理アイコン５３を移動先の設定用領域５２から弾くような表示を行うようにしてもよい。こうすることで、画像処理アイコン５３に対応する画像処理が移動先の設定用領域５２に追加できないことをユーザに報知することができる。なお、撮像画像に対して互いに重ね掛けできないような画像処理の情報については、予め不図示のメモリに記憶しておき、カスタマイズ処理部１４ｄがメモリに記憶された当該情報を参照すればよい。
【００８７】
以上説明した実施の形態によれば、次の作用効果が得られる。
デジタルカメラ１において、カスタマイズ処理部１４ｄは、第１画像処理（たとえば「トイカメラ」）に対応する画像処理アイコン５３を、第２画像処理（たとえば「ビビッド」）を設定するための設定用領域５２内に移動するドラッグアンドドロップ操作が行われると、当該設定用領域５２を、第１画像処理と第２画像処理との両方を設定するための設定用領域５２に変更する。また、カスタマイズ処理部１４ｄは、第３画像処理（たとえば「風景」）に対応する画像処理アイコン５３を、第１画像処理（たとえば「トイカメラ」）と第２画像処理（たとえば「ビビッド」）との両方を設定するための設定用領域５２内に移動するドラッグアンドドロップ操作が行われると、当該設定用領域５２に加えて、第３画像処理を設定するための設定用領域５２をリング画像５０に追加する。このようにデジタルカメラ１では、ドラッグアンドドロップ操作を使って簡単にリング画像５０をカスタマイズすることができる。
【００８８】
（変形例１）
上述した第２の実施形態では、一覧表示領域５４に、リング画像５０において既に設定用領域５２がある画像処理の画像処理アイコン５３も表示されてもよい。そして、リング画像５０内の設定用領域５２へ、当該設定用領域５２に対応する画像処理と同じ画像処理の画像処理アイコン５３を移動するドラッグアンドドロップ操作を行えるようにしてもよい。この場合、たとえば、カスタマイズ処理部１４ｄは、上記操作を、上記設定用領域５２において設定可能な画像処理パラメータの変化の仕方を変更する指示として受け付ける。
【００８９】
たとえば、図１３に示すように、リング画像５０内に４つの設定用領域５２ｆ〜設定用領域５２ｉが設定された状態であるとする。設定用領域５２ｆは「ポートレート」および「モノクローム」を設定するための領域である。設定用領域５２ｆでは、撮像画像に対して行う「ポートレート」および「モノクローム」の比率を画像処理パラメータとして設定可能である。また、一覧表示領域５４には、「ポートレート」に対応する画像処理アイコン５３ｉと、「モノクローム」に対応する画像処理アイコン５３ｊとが表示されているとする。
【００９０】
図１４は、設定用領域５２ｆ内のカーソル５１の位置に応じて「ポートレート」および「モノクローム」の比率を設定する際の、これらの比率の変化曲線を説明する図である。ここでは３種類の変化曲線Ｋ０，Ｋ１，Ｋ２が用意されているとする。図１４において、横軸は設定用領域５２ｆ内でのカーソル５１の位置を示す。左から右へ向かう方向がリング画像５０での時計周り方向に対応する。縦軸は、変化曲線から上側が「ポートレート」の比率を示し、変化曲線から下側が「モノクローム」の比率を示す。どの変化曲線においても、左端の位置では「ポートレート」が１００％で「モノクローム」が０％であり、右端の位置では「ポートレート」が０％で「モノクローム」が１００％である。
【００９１】
設定用領域５２ｆにおいて、デフォルトの状態では、画像処理設定部１４ｂが「ポートレート」および「モノクローム」の比率を変化曲線Ｋ０に沿って変化させるようになっている。変化曲線Ｋ０は直線である。したがって、変化曲線Ｋ０では、カーソル５１が時計周り方向（図１４における左から右へ向かう方向）に移動する際、「ポートレート」の比率は１００％から０％まで直線的に変化し、「モノクローム」の比率は０％から１００％まで直線的に変化する。
【００９２】
図１３に示した状態において、画像処理アイコン５３ｊ（「モノクローム」）を設定用領域５２ｆへ移動するドラッグアンドドロップ操作が行われたとする。カスタマイズ処理部１４ｄは、上記操作を検出すると、画像処理設定部１４ｂが「ポートレート」および「モノクローム」の比率を変化曲線Ｋ１に沿って変化させるように、設定用領域５２ｆにおける画像処理パラメータ（２つの画像処理の比率）の変化の仕方を変更する。変化曲線Ｋ１は、図１４において上側に膨らんだ曲線である。したがって、変化曲線Ｋ１では、カーソル５１が時計周り方向に移動する際、変化曲線Ｋ０に比べて「モノクローム」比率が高くなる（つまり「ポートレート」の比率が低くなる）のが速くなっている。
【００９３】
一方、図１３に示した状態において、画像処理アイコン５３ｉ（「ポートレート」）を設定用領域５２ｆへ移動するドラッグアンドドロップ操作が行われたとする。カスタマイズ処理部１４ｄは、上記操作を検出すると、画像処理設定部１４ｂが「ポートレート」および「モノクローム」の比率を変化曲線Ｋ２に沿って変化させるように、設定用領域５２ｆにおける画像処理パラメータ（２つの画像処理の比率）の変化の仕方を変更する。変化曲線Ｋ２は、図１４において下側に膨らんだ曲線である。したがって、変化曲線Ｋ２では、カーソル５１が時計周り方向に移動する際、変化曲線Ｋ０に比べての「ポートレート」の比率が低くなる（つまり「モノクローム」の比率が高くなる）のが遅くなっている。
【００９４】
このように、カスタマイズ処理部１４ｄは、２つの画像処理が設定された設定用領域５２に、当該設定用領域５２に設定された画像処理と同じ画像処理の画像処理アイコン５３を移動するドラッグアンドドロップ操作が行われた場合には、当該設定用領域５２においてカーソル５１の位置に応じて変化される画像処理パラメータ（２つの画像処理の比率）の変化の仕方を変更する。
【００９５】
また、カスタマイズ処理部１４ｄは、１つの画像処理が設定された設定用領域５２に、当該設定用領域５２に設定された画像処理と同じ画像処理の画像処理アイコン５３を移動するドラッグアンドドロップが行われた場合には、当該設定用領域５２においてカーソル５１の位置に応じて変化される画像処理パラメータ（効果レベル）の変化の仕方を変更するようにしてもよい。たとえば、「ビビッド」が設定された設定用領域５２ｊに「ビビッド」の画像処理アイコン５３ａを移動するドラッグアンドドロップが行われたとする。この場合、カスタマイズ処理部１４ｄは、設定用領域５２ｊにおいて設定可能な「ビビッド」の効果レベルの最大値を変更する（たとえば最大値を高くする）ようにしてもよい。また、この場合、カスタマイズ処理部１４ｄは、設定用領域５２ｊにおいてカーソル５１の位置に応じて変化される効果レベルの変化曲線の形状を変更するようにしてもよい。
【００９６】
（変形例２）
上述した第１および第２の実施形態では、リング画像５０を等分割するように各設定用領域５２のサイズを設定する例について説明したが、これに限らなくてよい。たとえば、新たに追加する設定用領域５２を、既に設定されている設定用領域５２よりも大きなサイズで追加するようにしてもよい。
【００９７】
たとえば、第１の実施形態において、図１５（ａ）に示すように、リング画像５０に４つの設定用領域５２ａ〜５２ｄが設定されている状態で、画像処理アイコン５３ａ（「ビビッド」）をリング画像５０内へ移動するドラッグアンドドロップ操作が行われたとする。すると、カスタマイズ処理部１４ｄは、図１５（ｂ）に示すように、画像処理アイコン５３ａに対応する設定用領域５２ｅを、既に設定されていた設定用領域５２ａ〜５２ｄよりも大きいサイズとなる（すなわち円弧の中心角が大きくなる）ようにして追加する。このとき、カスタマイズ処理部１４ｄは、上述したように、設定用領域５２のサイズの変化に応じて、設定用領域５２で設定可能な画像処理パラメータの段階数を増減させる。このような処理により、ユーザがドラッグアンドドロップ操作を行った画像処理アイコン５３に対応する画像処理については、設定用領域５２で設定可能な画像処理パラメータの段階数を比較的多くすることができ、画像処理パラメータの細かい調整を行えるようにできる。
【００９８】
また、リング画像５０内に設定されている設定用領域５２のサイズを、たとえばピンチイン操作やピンチアウト操作などのユーザ操作によって自由に変更できるようにしてもよい。なお、ピンチイン操作は、タッチパネル１６ｂで同時に２つの指を接触させ、その２つの接触位置の間隔を狭める操作である。ピンチアウト操作は、タッチパネル１６ｂで同時に２つの指を接触させ、その２つの接触位置の間隔を広げる操作である。たとえば、カスタマイズ処理部１４ｄは、設定用領域５２内でピンチアウト操作が行われると、当該操作に応じてその設定用領域５２のサイズを大きくすると共に、これに応じて他の設定用領域５２のサイズを小さくする。また、カスタマイズ処理部１４ｄは、設定用領域５２内でピンチイン操作が行われると、当該操作に応じてその設定用領域５２のサイズを小さくすると共に、これに応じて他の設定用領域５２のサイズを大きくする。さらに、カスタマイズ処理部１４ｄは、設定用領域５２のサイズが最小値である場合にさらにその設定用領域５２内でピンチイン操作が行われた場合には、その設定用領域５２を削除するようにしてもよい。
【００９９】
（変形例３）
上述した第１および第２の実施形態において、ユーザによりリング画像５０内の異なる複数の位置が同時に長押し操作されると、当該複数の位置に応じた複数の画像処理を重ね掛けした画像を撮影するようにしてもよい。たとえば、第１の実施形態において、図３に示したように、リング画像５０に設定用領域５２ａ〜５２ｄが設定されているとする。この状態において、ユーザが設定用領域５２ａ（「ポートレート」）内の位置と、設定用領域５２ｄ（「クロスプロセス」）内の位置とを同時に長押し操作したとする。すると、制御部１４は、上記長押し操作を、複数の画像処理を重ね掛けした画像の撮影指示として受け付ける。画像処理設定部１４ｂは、設定用領域５２ａ内で長押し操作された位置に応じて「ポートレート」の効果レベルを設定し、設定用領域５２ｄ内で長押し操作された位置に応じて「クロスプロセス」の効果レベルを設定する。画像処理部１４ｃは、上記長押し操作の時点で撮像素子１２により撮像された撮像画像に対して、「ポートレート」と「クロスプロセス」の画像処理を、画像処理設定部１４ｂにより設定された効果レベルで重ね掛けする。制御部１４は、画像処理部１４ｃによる画像処理後の撮像画像を記録媒体１８に記録する。
【０１００】
このように、画像処理部１４ｃは、リング画像５０において第１の設定用領域５２内の位置と、第２の設定用領域５２内の位置との両方がユーザ操作（ここでは長押し操作）により指定されると、第１の設定用領域５２に対応する画像処理と第２の設定用領域５２に対応する画像処理の両方を撮像画像に対して行う。これにより、ユーザが簡単な操作を行うだけで、デジタルカメラ１において複数の画像処理を施した撮像画像を取得することができる。
【０１０１】
（変形例４）
上述した第１および第２の実施形態において、デジタルカメラ１は、ユーザによりリング画像５０内の異なる複数の位置が同時に長押し操作されると、連写撮影を行うようにしてもよい。そして、デジタルカメラ１は、連写撮影された複数の撮像画像に対して、当該複数の位置に応じた複数の画像処理のそれぞれを施して記録するようにしてもよい。
【０１０２】
たとえば、第１の実施形態において、図３に示したように、リング画像５０に設定用領域５２ａ〜５２ｄが設定されているとする。この状態において、ユーザが設定用領域５２ａ（「ポートレート」）内の位置と、設定用領域５２ｄ（「クロスプロセス」）内の位置とを同時に長押し操作したとする。すると、制御部１４は、上記長押し操作を連写撮影指示として受け付け、長押し操作された位置の数の撮像画像が得られるような回数の連写撮影を行う。ここでは、長押し操作された位置が２箇所であるため、制御部１４は、撮像素子１２に静止画用の撮像処理を２回連続して行わせる連写撮影を行い、２枚の撮像画像を得る。
【０１０３】
画像処理設定部１４ｂは、設定用領域５２ａ内で長押し操作された位置に応じて「ポートレート」の効果レベルを設定し、設定用領域５２ｄ内で長押し操作された位置に応じて「クロスプロセス」の効果レベルを設定する。画像処理部１４ｃは、上記連写撮影により取得された２枚の撮像画像のうち、１枚の撮像画像に対しては「ポートレート」の画像処理を、画像処理設定部１４ｂにより設定された効果レベルで施す。一方、画像処理部１４ｃは、上記連写撮影により取得された２枚の撮像画像のうち、別のもう１枚の撮像画像に対しては「クロスプロセス」の画像処理を、画像処理設定部１４ｂにより設定された効果レベルで施す。制御部１４は、画像処理部１４ｃによる画像処理後の２枚の撮像画像を記録媒体１８に記録する。
【０１０４】
（変形例５）
上述した第１および第２の実施形態において、カスタマイズ処理部１４ｄは、リング画像５０に設定用領域５２を追加する際、設定用領域５２の配置を自動的に並べ替えるようにしてもよい。カスタマイズ処理部１４ｄは、たとえば、互いに画像効果が似ている画像処理など互いに親和性の高い画像処理を設定するための設定用領域５２同士が隣接するように配置並べ替える。
【０１０５】
（変形例６）
上述した第１および第２の実施形態では、リング画像５０の各設定用領域５２内に、各設定用領域５２で設定可能な画像処理の名称を表示する例について説明したが、リング画像５０における表示方法はこれに限らなくてよい。たとえば、図１６に示すように、リング画像５０内には画像処理の名称は表示させず、リング形状と、各設定用領域５２ｆ〜５２ｉの境界を表す線と、カーソル５１とを表示させるようにしてもよい。リング画像５０はスルー画に重ねて表示されるため、画像処理の名称などを表示しない方がスルー画が見やすいと考えられる。また、この場合、表示制御部１４ａは、カーソル５１の位置に応じて設定される画像処理とその画像処理パラメータの内容を、表示部１７の表示画面上部に設けられた内容表示領域５５に表示させるようにしてもよい。たとえば、図１４では、内容表示領域５５に、「ポートレート７０％＆モノクローム３０％」のように、設定される２つの画像処理の名称とこれら２つの画像処理の比率とが表示されている。なお、テキストで表示させるのではなく、画像処理の内容を表すようなマークなどで表示させるようにしてもよい。
【０１０６】
（変形例７）
上述した第１および第２の実施形態では、カスタマイズモードにおいて、リング画像５０における設定用領域５２の数を増減可能である例について説明したが、リング画像５０における設定用領域５２の数が固定されていてもよい。この場合において、たとえば、図１７（ａ）に示すように、リング画像５０に４つの設定用領域５２ａ〜５２ｄが設定されているとする。この状態において、画像処理アイコン５３ａ（「ビビッド」）を設定用領域５２ａ（「ポートレート」）に移動するドラッグアンドドロップ操作が行われたとする。すると、カスタマイズ処理部１４ｄは、図１７（ｂ）に示すように、設定用領域５２ａにおいて設定可能な画像処理を「ポートレート」から「ビビッド」に変更する。このように、カスタマイズ処理部１４ｄは、画像処理アイコン５３を設定用領域５２に移動するドラッグアンドドロップ操作に応じて、当該設定用領域５２で設定可能な画像処理を変更するようにしてもよい。
【０１０７】
（変形例８）
上述した第１および第２の実施形態では、予めデフォルトで所定の設定用領域５２がリング画像５０に設定された状態からリング画像５０のカスタマイズを行う例について説明した。しかしながら、リング画像５０に設定用領域５２が全く設定されていない状態からリング画像５０のカスタマイズを行えるようにしてもよい。
【０１０８】
（変形例９）
上述した第１および第２の実施形態では、設定用領域５２のサイズの変化に応じて、設定用領域５２で設定可能な画像処理パラメータの段階数を増減させる例について説明したが、増減させずに固定であってもよいし、適宜、最適な数へ自動的に変更するようにしてもよい。
【０１０９】
（変形例１０）
上述した実施の形態では、リング画像５０内に設定した設定用領域５２に画像処理を対応付ける例について説明したが、リング画像５０内に設定した設定用点に画像処理を対応付けるようにしてもよい。たとえば、図１８（ａ）に、変形例９におけるリング画像５０を示す。デフォルトでは、リング画像５０のリング上に、画像処理が対応付けられる４つの設定用点５６ａ〜５６ｄが設定されているとする。設定用点５６ａ〜設定用点５６ｄは、リング画像５０のリングを４等分に分割する位置にそれぞれ設定されている。具体的に、設定用点５６ａはリング画像５０の頂上地点に設定される。設定用点５６ｂは設定用点５６ａから時計周りに９０度離れた位置に設定される。設定用点５６ｃは設定用点５６ａから１８０度離れた位置に設定される。設定用点５６ｄは設定用点５６ａから反時計回りに９０度離れた位置に設定される。また、設定用点５６ａには「ポートレート」が対応付けられている。設定用点５６ｂには「モノクローム」が対応付けられている。設定用点５６ｃには「ハイキー」が対応付けられている。設定用点５６ｄには「クロスプロセス」が対応付けられている。各設定用点５６ａ〜５６ｄの近傍には、それぞれに対応付けられた画像処理の名称が表示される。また、各設定用点５６ａ〜５６ｄの位置がわかりやすいように、それぞれを通る線分が表示される。
【０１１０】
画像処理設定部１４ｂは、カーソル５１が設定用点５６ａに位置するときは、撮像画像に対して行う画像処理を、「ポートレート１００％（「ポートレート」のみを行う設定）」に設定する。画像処理設定部１４ｂは、カーソル５１が設定用点５６ｂに位置するときは、撮像画像に対して行う画像処理を、「モノクローム１００％」に設定する。また画像処理設定部１４ｂは、カーソル５１が設定用点５６ａと設定用点５６ｂとの間に位置するときは、撮像画像に対して行う「ポートレート」と「モノクローム」の両方を行うように設定する。このとき画像処理設定部１４ｂは、カーソル５１の位置に応じて「ポートレート」および「モノクローム」の比率を設定する。画像処理設定部１４ｂは、カーソル５１の位置が設定用点５６ａに近いほど「ポートレート」の比率を高くして「モノクローム」の比率を低くする。一方、画像処理設定部１４ｂは、カーソル５１の位置が設定用点５６ｂに近いほど「モノクローム」の比率を高くして「ポートレート」の比率を低くする。
【０１１１】
同様に、画像処理設定部１４ｂは、カーソル５１が設定用点５６ｃに位置するときは、撮像画像に対して行う画像処理を、「ハイキー１００％」に設定する。画像処理設定部１４ｂは、カーソル５１が設定用点５６ｄに位置するときは、撮像画像に対して行う画像処理を、「クロスプロセス１００％」に設定する。カーソル５１が設定用点５６ｂと設定用点５６ｃの間、設定用点５６ｃと設定用点５６ｄの間、設定用点５６ｄと設定用点５６ａの間に位置する場合は、それぞれ、上述した設定用点５６ａと設定用点５６ｂの間に位置する場合と同様にして、画像処理の設定が行われる。
【０１１２】
変形例９においても、リング画像５０のカスタマイズが可能となっている。ユーザは、リング画像５０に新たな設定用点５６を追加したい場合には、一覧表示領域５４に表示された画像処理アイコン５３の中から、所望の画像処理に対応する画像処理アイコン５３を、リング画像５０内へ移動するドラッグアンドドロップ操作を行う。たとえば、画像処理アイコン５３ａ（「ビビッド」）を、リング画像５０内の設定用点５６ａと設定用点５６ｂの間へ移動するドラッグアンドドロップ操作が行われたとする。カスタマイズ処理部１４ｄは、タッチパネル１６ｂを介して上記操作を検出すると、図１８（ｂ）に示すように、画像処理アイコン５３ａに対応する画像処理「ビビッド」が対応付けられた設定用点５６ｅをリング画像５０に追加する。このとき、設定用点５６ａ〜設定用点５６ｅは、リング画像５０を５等分に分割する位置にそれぞれ設定される。また設定用点５６ｅは、画像処理アイコン５３ａがドロップされた箇所に対応する位置（図１８（ｂ）では、設定用点５６ａと設定用点５６ｂとの間）に追加される。
【０１１３】
この状態のリング画像５０では、カーソル５１が設定用点５６ｅに位置するときは、撮像画像に対して行う画像処理が「ビビッド１００％」に設定される。また、カーソル５１が設定用点５６ａと設定用点５６ｅの間に位置するときは、「ポートレート」と「ビビッド」の両方が設定される。カーソル５１が設定用点５６ｅと設定用点５６ｂの間に位置するときは「ビビッド」と「モノクローム」の両方が設定されることとなる。
【０１１４】
また、ユーザは、リング画像５０から設定用点５６を削除したい場合には、削除したい設定用点５６の近傍に表示された画像処理の名称を一覧表示領域５４内へ移動するドラッグアンドドロップ操作を行う。カスタマイズ処理部１４ｄは、タッチパネル１６ｂを介して上記操作を検出すると、上記操作が行われた設定用点５６をリング画像５０から削除する。
【０１１５】
（変形例１１）
上述した実施の形態では、カーソル５１の表示位置を移動させることによりリング画像５０上におけるカーソル５１の位置を変更する例について説明した。しかしながら、カーソル５１を動かさずにリング画像５０を回転させて、リング画像５０上の各位置とカーソル５１との相対位置を変更するようにしてもよい。
【０１１６】
（変形例１２）
上述した実施の形態では、撮像画像に対して行う画像処理を設定するための設定用画像として、リング形状のリング画像５０を表示する例について説明した。しかしながら、設定用画像は、リング形状の画像に限らなくてもよく、たとえば、バー形状の画像などであってもよい。
【０１１７】
（変形例１３）
上述した実施の形態では、デジタルカメラ１の制御部１４が不図示のメモリに記録されたプログラムを実行することで、上述した処理を行う例について説明した。このプログラムは、製品出荷時に予め記録されていてもよいし、製品出荷後、メモリカードなどの記録媒体やインターネットなどのデータ信号を通じて提供されてもよい。図１９はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【０１１８】
（変形例１４）
上述した実施の形態では、デジタルカメラに本発明を適用する例について説明したが、これに限らなくてよく、たとえば携帯電話機やタブレット端末などに本発明を適用するようにしてもよい。
【０１１９】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１２０】
１…デジタルカメラ、１１…撮像光学系、１２…撮像素子、１４…制御部、１４ａ…表示制御部、１４ｂ…画像処理設定部、１４ｃ…画像処理部、１４ｄ…カスタマイズ処理部、１６…操作部材、１６ｂ…タッチパネル、１７…表示部、１８…記録媒体
【図１】
2015106745.tif 000003
【図２】
2015106745.tif 000004
【図３】
2015106745.tif 000005
【図４】
2015106745.tif 000006
【図５】
2015106745.tif 000007
【図６】
2015106745.tif 000008
【図７】
2015106745.tif 000009
【図８】
2015106745.tif 000010
【図９】
2015106745.tif 000011
【図１０】
2015106745.tif 000012
【図１１】
2015106745.tif 000013
【図１２】
2015106745.tif 000014
【図１３】
2015106745.tif 000015
【図１４】
2015106745.tif 000016
【図１５】
2015106745.tif 000017
【図１６】
2015106745.tif 000018
【図１７】
2015106745.tif 000019
【図１８】
2015106745.tif 000020
【図１９】
2015106745.tif 000021